(57)【要約】 【課題】  基板から外れる事態を防ぐ。【解決手段】  互いに嵌合可能な雄雌両ハウジング１０，３０のうち、雄ハウジング１０が基板Ｋに対して取り付けられる。雌ハウジング３０には、基板Ｋにおける雄ハウジング１０が取り付けられた表面Ｋａとは反対側の裏面Ｋｂに対して係止可能な規制部３６が設けられている。雌ハウジング３０を雄ハウジング１０に対して嵌合すると、規制部３６が基板Ｋの裏面Ｋｂに係止するので、雌ハウジング３０を基板Ｋから離間する方向へ持ち上げるような力が作用した場合でも、雌ハウジング３０と共に雄ハウジング１０が基板Ｋから外れるような事態が防がれる。【選択図】  図５
2005317357.tif 000002
【特許請求の範囲】
【請求項１】
互いに嵌合可能な一対のコネクタハウジングのうち、一方のコネクタハウジングが基板に対して取り付けられているものにおいて、
他方のコネクタハウジングには、嵌合に伴って前記基板における前記一方のコネクタハウジングの被取付面とは反対側の面に係止することで、一方のコネクタハウジングが他方のコネクタハウジングと共に基板から離間する方向へ変位するのを規制可能な規制部が設けられていることを特徴とする基板用コネクタ。
【請求項２】
前記請求項１に記載の基板用コネクタを基板と共にケース内に収容するようにしたものであって、
前記ケースには、前記一方のコネクタハウジングが臨む開口部が設けられ、この開口部を通して前記他方のコネクタハウジングが一方のコネクタハウジングと嵌合可能とされており、
且つ前記開口部は、嵌合時に前記規制部の挿通を許容するよう拡張して形成されていることを特徴とするケース付き基板用コネクタ。
【請求項３】
一対のコネクタハウジングのうち、一方のコネクタハウジングが基板に対して取り付けられた状態で基板と共にケース内に収容されるとともにケースに設けられた開口部に臨んで配されるのに対し、他方のコネクタハウジングが前記開口部を通して前記一方のコネクタハウジングに嵌合可能とされるものにおいて、
前記ケースには、係止凹部が設けられるのに対し、前記他方のコネクタハウジングには、嵌合に伴って前記係止凹部内に進入するとともにその周面に係止することで、前記一方のコネクタハウジングが他方のコネクタハウジングと共に前記基板から離間する方向へ変位するのを規制可能な規制部が設けられていることを特徴とするケース付き基板用コネクタ。
【発明の詳細な説明】
【技術分野】
【０００１】
本発明は、基板用コネクタ、及びケース付き基板用コネクタに関する。
【背景技術】
【０００２】
従来、基板に対して固定される基板用コネクタの一例として下記特許文献１に記載されたものが知られている。このものは、ハウジングの両側面下端部から一対の基板固定部を側方へ張り出して形成するとともに、この基板固定部に形成したねじ締付孔に対して基板のねじ挿通孔に通したねじを締め付けることで、ハウジングを基板に対して固定している。
【０００３】
上記したようにねじ止めにより基板に固定する構造のものでは、側方へ張り出す固定金具によって基板上の基板用コネクタの配置スペースが大きくなり勝ちであったため、省スペース化が必要なものには不向きであった。
そこで、基板用コネクタの小型化を図るべく、ハウジングの側端部に固定金具を取り付けるようにし、その固定金具を半田付けにより基板に対して固定することが考えられている。
【特許文献１】特開平５−３２６０４９号公報
【発明の開示】
【発明が解決しようとする課題】
【０００４】
しかしながら、半田によりハウジングを基板に固定するにあたっては、やはりねじ止めするものと比較すると、機械的な強度において不安な面があり、例えばハウジングに対して嵌合した相手ハウジングが基板とは反対方向へ持ち上げられた場合には、半田にクラックが入るなどしてハウジングが相手ハウジングと共に基板から外れることが懸念される。
本発明は上記のような事情に基づいて完成されたものであって、基板から外れる事態を防ぐことを目的とする。
【課題を解決するための手段】
【０００５】
上記の目的を達成するための手段として、請求項１の発明に係る基板用コネクタは、互いに嵌合可能な一対のコネクタハウジングのうち、一方のコネクタハウジングが基板に対して取り付けられているものにおいて、他方のコネクタハウジングには、嵌合に伴って前記基板における前記一方のコネクタハウジングの被取付面とは反対側の面に係止することで、一方のコネクタハウジングが他方のコネクタハウジングと共に基板から離間する方向へ変位するのを規制可能な規制部が設けられている構成としたところに特徴を有する。
【０００６】
請求項２の発明に係るケース付き基板用コネクタは、前記請求項１に記載の基板用コネクタを基板と共にケース内に収容するようにしたものであって、前記ケースには、前記一方のコネクタハウジングが臨む開口部が設けられ、この開口部を通して前記他方のコネクタハウジングが一方のコネクタハウジングと嵌合可能とされており、且つ前記開口部は、嵌合時に前記規制部の挿通を許容するよう拡張して形成されているところに特徴を有する。
【０００７】
請求項３の発明に係るケース付き基板用コネクタは、一対のコネクタハウジングのうち、一方のコネクタハウジングが基板に対して取り付けられた状態で基板と共にケース内に収容されるとともにケースに設けられた開口部に臨んで配されるのに対し、他方のコネクタハウジングが前記開口部を通して前記一方のコネクタハウジングに嵌合可能とされるものにおいて、前記ケースには、係止凹部が設けられるのに対し、前記他方のコネクタハウジングには、嵌合に伴って前記係止凹部内に進入するとともにその周面に係止することで、前記一方のコネクタハウジングが他方のコネクタハウジングと共に前記基板から離間する方向へ変位するのを規制可能な規制部が設けられている構成としたところに特徴を有する。
【発明の効果】
【０００８】
＜請求項１の発明＞
嵌合後、他方のコネクタハウジングが基板から離間する方向へ引っ張られた場合でも、規制部が基板における一方のコネクタハウジングの被取付面とは反対側の面に係止することで、一方のコネクタハウジングが他方のコネクタハウジングと共に基板から離間する方向へ変位するのが規制されるから、基板から一方のコネクタハウジングが外れるような事態を防ぐことができる。
【０００９】
＜請求項２の発明＞
仮に開口部とは別途に規制部を挿通するための専用の開口をケースに設けるようにした場合と比較すると、構造が簡単で済む。
【００１０】
＜請求項３の発明＞
ケースの開口部を通して他方のコネクタハウジングを一方のコネクタハウジングに嵌合すると、規制部が係止凹部内に進入する。嵌合後、他方のコネクタハウジングが基板から離間する方向へ引っ張られた場合でも、規制部が係止凹部の周面に係止することで、一方のコネクタハウジングが他方のコネクタハウジングと共に基板から離間する方向へ変位するのが規制されるから、基板から一方のコネクタハウジングが外れるような事態を防ぐことができる。
【発明を実施するための最良の形態】
【００１１】
＜実施形態１＞
本発明の実施形態１を図１ないし図５によって説明する。この実施形態１では、互いに嵌合可能な一対の雄雌のコネクタハウジング１０，３０のうち、雄コネクタハウジング１０（以下、単に雄ハウジング１０という）を基板Ｋに取り付けるとともに基板Ｋと共にケース２０内に収容するようにし、雌コネクタハウジング３０（以下、単に雌ハウジング３０という）がケース２０外から雄ハウジング１０に嵌合されるものを示す。なお、以下では両ハウジング１０，３０における嵌合面側を前方とし、また上下方向については図２を除く各図を基準とする。
【００１２】
先に、雄ハウジング１０について説明する。雄ハウジング１０は、合成樹脂製とされており、図１ないし図４に示すように、全体として横長形状をなしており、雄端子金具１４を保持可能な端子保持部１１と、端子保持部１１の周縁から前方へ突出するフード部１２とから構成されている。端子保持部１１には、後方から雄端子金具１４を挿入可能な端子挿入孔１３が複数設けられている。各端子挿入孔１３は、幅方向に沿って並列した状態で上下２段に配されており、詳しくは下段側に２２個、上段側に１８個ずつ配置されており、特に上段側については９個ずつ図１に示す左右に分けて配置されている。また上段側の各端子挿入孔１３と下段側の各端子挿入孔１３は、互いに幅方向にずれた位置（互い違いの位置）に配されている。
【００１３】
雄端子金具１４は、端子保持部１１から後方へ突出した部分を所定位置から下方へ向けて屈曲させるとともにその下端部を再度後方へ向けて屈曲させた形状となっている。雄端子金具１４のうち、端子保持部１１の前面（嵌合面）から前方へ突出するとともにフード部１２により取り囲まれる部分が、雌ハウジング３０の雌端子金具３１と導通接続可能なコネクタ側接続部１４ａとなっている。一方、雄端子金具１４の後端部が基板Ｋの表面Ｋａにプリントされた導電路（図示せず）に対して半田付けにより導通接続される基板側接続部１４ｂとされている。雄ハウジング１０に対して装着した状態では、上段の雄端子金具１４と下段の雄端子金具１４は、幅方向について互いにずれた位置に配されるとともに、上下各段の雄端子金具１４における基板側接続部１４ｂが前後方向についてほぼ同じ位置に配される。
【００１４】
フード部１２は、前方へ開口する略角筒状に形成されており、前方からは相手の雌ハウジング３０が内嵌可能とされている。フード部１２の上部における幅方向略中央位置には、雌ハウジング３０のロックアーム３４が係止することで両ハウジング１０，３０を嵌合状態に保持可能な被ロック部１５が下方（内方）へ突出して設けられている。フード部１２の幅方向両側端部には、雄ハウジング１０を基板Ｋに対して固定するための固定金具１７を装着可能な装着溝１６が一対設けられている。
【００１５】
固定金具１７は、金属板を所定形状に打ち抜くとともに曲げ加工などを施すことで成形されている。固定金具１７は、上下方向に沿う略平板状をなす本体部１７ａと、本体部１７ａの下端部から幅方向に沿って側方へ突出する半田付け部１７ｂとから構成され、全体が正面または背面から見て略Ｌ字型に形成されている（図１）。このうち半田付け部１７ｂが基板Ｋの表面Ｋａに載せられた状態で半田付けされることで、雄ハウジング１０を基板Ｋに対して取付状態に固定できるようになっている。一方、装着溝１６は、雄ハウジング１０を上下に貫通するとともに固定金具１７の本体部１７ａがその板面方向に沿って挿入可能とされる本体部収容部１６ａと、側方へ開口するとともに半田付け部１７ｂがその板面方向と直交する方向に沿って挿通可能とされる半田付け部収容部１６ｂとから構成されている。
【００１６】
上記した構成の雄ハウジング１０は、図４に示すように、基板Ｋに取り付けられた状態で基板Ｋごとケース２０内に収容されるようになっている。ケース２０は、金属製であって略箱型に形成されており、その一側面には、雄ハウジング１０が臨んで配される開口部２１が外部に開口して設けられている。この開口部２１には、フード部１２が内嵌された状態で配されており、これにより外部からフード部１２内に雌ハウジング３０が嵌合するのが許容されている。また基板Ｋの前端面は、雄ハウジング１０の前端面よりも後側に引っ込んで配され、ケース２０の内周面とほぼ面一状となる位置に配される。また雄ハウジング１０の前端面は、ケース２０の外周面とほぼ面一状となる位置に配される。なお基板Ｋは、図示しない支持手段によりケース２０に対してほぼ水平な姿勢に支持される。
【００１７】
続いて、雌ハウジング３０について説明する。雌ハウジング３０は、合成樹脂製とされており、全体が横長な略ブロック状に形成されるとともに、その内部には、複数本（計４０本）の雌端子金具３１が収容可能とされる。詳しくは雌ハウジング３０には、電線Ｗの端末に接続された雌端子金具３１を後方から挿入可能なキャビティ３２が、相手の雄端子金具１４と対応した位置にそれぞれ設けられている。雌端子金具３１は、前後に開口する略箱形をなす本体部３１ａと、電線Ｗの端末に圧着接続されるバレル部３１ｂとを前後に繋げた構成とされており、本体部３１ａ内には、雄端子金具１４のコネクタ側接続部１４ａと弾性接触可能な弾性接触片３１ｃが設けられている。また各キャビティ３２内には、本体部３１ａの後端の段部に対して係止して雌端子金具３１を抜け止め保持可能な片持ち状のランス３３が設けられている。
【００１８】
雌ハウジング３０の上面には、嵌合時に雄ハウジング１０の被ロック部１５に係止可能なロックアーム３４が設けられている。ロックアーム３４は、前後方向に沿って延出するとともに上下方向に沿って弾性変形可能とされており、その上面には上方へ突出するとともに雄ハウジング１０の被ロック部１５に対して係止可能なロック突部３５が設けられている。
【００１９】
さて、雌ハウジング３０には、嵌合に伴って基板Ｋのうち雄ハウジング１０が取り付けられた表面Ｋａとは反対側の裏面Ｋｂに対して係止可能とされる規制部３６が設けられている。詳しくは、規制部３６は、雌ハウジング３０のうち嵌合状態において雄ハウジング１０よりも後方へ突出して配される後端部の下面から下方へ突出する突出部３７と、この突出部３７から前方へ延出する片持ち状の係止片３８とから構成されており、全体として断面略Ｌ字型をなしている。係止片３８は、基板Ｋとほぼ平行な略板状をなすとともに雌ハウジング３０の下面と対向して配されている。係止片３８の上面３８ａと雌ハウジング３０の下面との間の距離は、フード部１２の下部の厚み寸法と基板Ｋの厚み寸法とを足し合わせた大きさとほぼ同じか、それよりもやや大きく設定されており、さらには係止片３８の長さ寸法は、ケース２０の厚み寸法よりも所定長さ大きく設定されている。従って、雌ハウジング３０を雄ハウジング１０に嵌合すると、係止片３８は、基板Ｋの裏側（雄ハウジング１０が取り付けられた側とは反対側）に入り込むとともにその裏面Ｋｂに対して係止片３８の上面３８ａ（基板Ｋとの対向面）が係止されるようになっている。一方、ケース２０の開口部２１は、そこに内嵌するフード部１２の外形よりも下方へ拡張されており、その拡張部分２１ａに上記した規制部３６の係止片３８が挿通可能とされている。
【００２０】
本実施形態は以上のような構造であり、続いてその作用を説明する。各雄端子金具１４及び両固定金具１７を装着した雄ハウジング１０を基板Ｋの表面Ｋａにおける所定位置にセットするとともに、各雄端子金具１４の基板側接続部１４ｂと、両固定金具１７の半田付け部１７ｂとをそれぞれ半田付けする。すると、各雄端子金具１４が基板Ｋに固着されて導電路に対して電気的に接続されるとともに、半田付けされた両固定金具１７により雄ハウジング１０が基板Ｋに対して取付状態に固定される。この状態で雄ハウジング１０を基板Ｋと共にケース２０内に収容すると、図４に示すように、雄ハウジング１０は、ケース２０の開口部２１に臨んで配され、そこに内嵌されたフード部１２が外部に開口した状態とされる。この状態で雄ハウジング１０に対して別途に組み付けておいた雌ハウジング３０を嵌合する作業を行う。
【００２１】
雌ハウジング３０をフード部１２内に嵌合すると、ロック突部３５が被ロック部１５により押圧されることで、ロックアーム３４が一旦下方へ弾性変形させられる。そして、雌ハウジング３０が雄ハウジング１０に対して正規深さまで嵌合されると、図５に示すように、ロック突部３５が被ロック部１５の後方位置に達してロックアーム３４が復元するとともにロック突部３５の後面に被ロック部１５の後面が係止される。これにより、両ハウジング１０，３０が正規の嵌合状態から離脱不能に保持される。この正規嵌合時には、各雌端子金具３１の弾性接触片３１ｃが各雄端子金具１４のコネクタ側接続部１４ａに対して弾性接触することで、両端子金具１４，３１が正規に導通接続される。
【００２２】
さて、両ハウジング１０，３０を嵌合する際には、雌ハウジング３０の規制部３６が開口部２１の拡張部分２１ａに挿通される。詳しくは、規制部３６のうち係止片３８は、両ハウジング１０，３０の嵌合に伴って開口部２１の拡張部分２１ａを通って基板Ｋの裏側に差し込まれて先端が基板Ｋの前端位置よりも所定深さだけ奥側位置に達するとともに、その上面３８ａが基板Ｋの裏面Ｋｂに対して係止される。従って、両ハウジング１０，３０が嵌合した状態において、例えば雌ハウジング３０から外部へと引き出された各電線Ｗが上方へ向けて引っ張られ、雌ハウジング３０を基板Ｋとは反対側の方向（基板Ｋから離間する方向）へ持ち上げるような力が作用した場合でも、規制部３６の係止片３８が基板Ｋの裏面Ｋｂに係止することで、雄ハウジング１０が雌ハウジング３０と共に基板Ｋから離間する方向へ変位しようする動作が規制される。これにより、固定金具１７を基板Ｋに固定している半田にクラックが入るなどして雄ハウジング１０が基板Ｋから外れるような事態を防ぐことができる。
【００２３】
以上説明したように本実施形態によれば、雌ハウジング３０に基板Ｋの裏面Ｋｂに係止可能な規制部３６を設けるようにしたから、嵌合状態において雄ハウジング１０が雌ハウジング３０と共に基板Ｋから離間する方向へ変位するのが規制され、もって基板Ｋから雄ハウジング１０が外れるような事態を防ぐことができる。
【００２４】
しかも、ケース２０に設けた開口部２１を拡張することで、規制部３６の挿通を許容するようにしたから、仮に開口部２１とは別途に規制部３６を挿通するための専用の開口をケース２０に設けるようにした場合と比較すると、構造を簡素化することができる。
【００２５】
＜実施形態２＞
本発明の実施形態２を図６または図７によって説明する。この実施形態２では、ケース２０に規制部３６Ａが係止可能な係止孔２２を設けるようにしたものを示す。なおこの実施形態２では、上記した実施形態１と同様の構造、作用及び効果について重複する説明は省略する。
【００２６】
ケース２０には、図６に示すように、雄ハウジング１０のフード部１２が内嵌される開口部２１Ａが設けられており、この開口部２１Ａは、フード部１２の外形に沿う形状とされ、大きさもフード部１２とほぼ同じに設定されている（実施形態１に示したような拡張部分２１ａが省略されている）。そして、ケース２０における開口部２１Ａの少し下方位置には、雌ハウジング３０の規制部３６Ａが挿入可能とされる係止孔２２が開口して設けられている。係止孔２２の開口間口は、係止片３８Ａの厚み寸法及び幅寸法にほぼ適合するような大きさとされる。一方、規制部３６Ａは、突出部３７Ａの下方への突出寸法が係止孔２２の配設位置に対応した大きさとされているので、嵌合時には係止片３８Ａが係止孔２２に整合して挿入されるようになっている。
【００２７】
雄ハウジング１０のフード部１２内に雌ハウジング３０を嵌合すると、図７に示すように、規制部３６Ａの係止片３８Ａが係止孔２２内に差し込まれてその上面３８Ａａが係止孔２２の周面のうち上面２２ａ（周面のうち雄ハウジング１０側の面）に対して係止される。従って、両ハウジング１０，３０が嵌合した状態から雌ハウジング３０を基板Ｋから離間する方向へ持ち上げるような力が作用した場合でも、雄ハウジング１０が雌ハウジング３０と共に基板Ｋから離間する方向へ変位するのが規制され、もって雄ハウジング１０が基板Ｋから外れるような事態を回避することができる。
【００２８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）規制部の形状や数などについては、任意に変更可能である。実施形態１では変更した規制部に対応して開口部の拡張部分を変更したり、また実施形態２では変更した規制部に対応して係止孔を変更するようにすればよい。
【００２９】
（２）上記した実施形態２において、係止孔に代えてケースの外面に係止凹部を形成してそこに規制部を係止させるようにしてもよい。
（３）上記した各実施形態では、ケースの開口部に雄ハウジングのフード部が内嵌する形態のものを例示したが、必ずしも雄ハウジングが開口部に嵌合している必要はなく、雄ハウジングが開口部から離間して配される形態のものも本発明に含まれる。
【００３０】
（４）上記した実施形態１のように、規制部を基板に対して係止させるものの場合は、雄ハウジング及び基板をケース内に収容しないものも本発明に含まれる。
（５）雄ハウジングを基板に固定する方法として、半田付け以外の方法を用いたものにも本発明は適用可能である。
（６）上記した各実施形態では、雄ハウジングが基板に取り付けられるものを示したが、雌ハウジングが基板に取り付けられるものも本発明に含まれる。
【図面の簡単な説明】
【００３１】
【図１】本発明の実施形態１に係る雄ハウジング及び基板の正面図
【図２】雄ハウジング及び基板の平面図
【図３】雄ハウジング及び基板の側面図
【図４】基板と共にケース内に収容した雄ハウジングに雌ハウジングを嵌合する前の状態を示す側断面図
【図５】雄ハウジングに雌ハウジングを嵌合した状態を示す側断面図
【図６】本発明の実施形態２に係る雄ハウジングに雌ハウジングを嵌合する前の状態を示す側断面図
【図７】雄ハウジングに雌ハウジングを嵌合した状態を示す側断面図
【符号の説明】
【００３２】
１０…雄ハウジング（一方のコネクタハウジング）
２０…ケース
２１，２１Ａ…開口部
２２…係止孔（係止凹部）
２２ａ…上面（周面）
３０…雌ハウジング（他方のコネクタハウジング）
３６，３６Ａ…規制部
Ｋ…基板
Ｋａ…表面（被取付面）
Ｋｂ…裏面（被取付面とは反対側の面）
【図１】
2005317357.tif 000003
【図２】
2005317357.tif 000004
【図３】
2005317357.tif 000005
【図４】
2005317357.tif 000006
【図５】
2005317357.tif 000007
【図６】
2005317357.tif 000008
【図７】
2005317357.tif 000009